(57)【特許請求の範囲】
【請求項１】
画像形成装置本体に装填、引出し可能に設けられ上面部を開放するととともに用紙が積層して収容される給紙カセットと、この給紙カセットの内部に配置され一端部を支点として上下方向に回動自在に設けられ前記給紙カセットの内部に収容される用紙が積層して載置される載置板と、前記給紙カセットに設けられ前記載置板に対してこれを上側に向けて回動変位させる力を加える弾性部材と、この弾性部材により上向きに回動変位された載置板に載置された用紙を上側から受けて押える分離爪と、前記弾性部材により上側に向けて回動変位される前記給紙カセットの動きを制動する制動手段と、
前記給紙カセットに設けられ、最も下側に回動変位した位置にある前記載置板と係脱可能に係合して前記載置板を停止させる停止手段とを具備し、
前記制動手段は、ラックと、このラックに噛合して前記載置板の上側および下側に向けた回動変位に連動して回転される歯車と、前記載置板の上側に向けた回動変位に連動して回転する前記歯車に対して前記弾性部材の力より小さい力を加える制動機構と、前記ラックに設けられ前記載置板の上側へ向けた回動変位を停止するストッパとから構成され、
前記停止手段は、前記載置板端部に下側に向けて切起し形成される係合片と、前記給紙カセットに変位自在に設けられ前記係合片に対して係脱自在な係止爪を有する停止レバーと、この停止レバーに対して所定方向にばね力を作用するコイルばねとから構成される
ことを特徴とする給紙装置。
【請求項２】
前記制動手段は前記給紙カセットが前記弾性部材により上側に向けて回動変位される時にのみ前記給紙カセットの動きを制動するものであることを特徴とする請求項１に記載の給紙装置。
【請求項３】
前記制動手段における前記ラックは前記載置板または給紙カセットに設けられ、前記歯車は前記給紙カセットまたは前記載置板に設けられていることを特徴とする請求項１に記載の給紙装置。
【発明の詳細な説明】
【０００１】
【発明の属する技術分野】
本発明は画像形成装置において例えば記録紙を積層収容して供給する給紙装置に関する。
【０００２】
【従来の技術】
普通紙を記録紙として使用するファクシミリ装置などの画像形成装置においては、複数の記録紙を給紙カセットに積層して収容し、画像記録時に給紙カセットから記録紙を一枚ずつ繰り出して画像記録部に搬送して画像を記録するようになっている。
【０００３】
そして、この給紙カセットは、一般的に画像形成装置本体に装填、引出し可能に設けられ上面部を開放するととともに記録紙が積層して収容される給紙カセットと、この給紙カセットの内部に配置され一端を支点として上下方向に回動自在に設けられ給紙カセットの内部に収容される用紙が積層して載置される載置板と、給紙カセットに設けられ載置板を上側に向けて回動変位させる力を加える弾性部材と、この弾性部材により上側へ回動変位された載置板に載置された記録紙を上側から受けて押える分離爪とを具備する構成が採用されている。
【０００４】
この給紙カセットに記録紙をセットする場合には、給紙カセットを画像形成装置本体からスライドして引出し、載置板を弾性部材の弾性力に抗して下側へ向けて回動変位させて載置板上に記録紙を積層して載置し、その後載置板を押し下げていた力を解除して弾性部材により載置板を上側へ向けて回動変位させる。分離爪は上側へ向けて回動変位する載置板に載置した記録紙の最上層を受けて上側から押える。そして、給紙カセットを画像形成装置本体に装填する。画像形成装置本体には給紙カセット装填位置の上側にピックアップローラが設けてあり、ピックアップローラが回転し、最上層の記録紙を分離爪で押えながら一枚ずつ下層の記録紙から分離して外側ヘ送り出す。
また、給紙カセットには、前記の構成に加えて給紙カセットに、最も下側に回動変位した位置にある前記載置板と係脱可能に係合して載置板をその位置に停止させる停止手段を設けたものがある。この構成では、記録紙を給紙カセットにセットする際に、載置板を最も下側の位置に回動変位させて前記の停止手段により載置板をその位置に停止させ、載置板上に記録紙を積層して載置する。画像形成装置本体の内部には停止解除手段が設けてあり、給紙カセットをスライドして画像形成装置本体の内部に装填すると、その装填の途中で給紙カセットの停止手段が装置本体に設けた停止解除手段が給紙カセットの停止手段と当たり、停止手段が動作して載置板の停止を解除する。これにより載置板が弾性部材により上側へ回動変位し、載置板に載置した記録紙の最上層が分離爪に押圧接触する。
【０００５】
【発明が解決しようとする課題】
しかし、前述した前者の従来の給紙装置では、次に述べる問題がある。すなわち、給紙カセットを画像形成装置本体から取り出して記録紙をセットする際に、使用者が手で載置板を弾性部材の弾性力に抗して押し下げた時に誤って手が滑って載置板から外れると、弾性力を蓄勢した弾性部材が元の状態に復元しようとして載置板を急激に上側へ回動変位させる。この時、載置板に載置した記録紙が分離爪に衝突するので、その衝撃より記録紙が分離爪から外れることがある。また、載置板に記録紙を載置していない場合には、載置板が分離爪に直接衝突して両者が損傷することがある。
【０００６】
また、後者の従来の給紙装置では、次に述べる問題がある、すなわち、弾性部材の弾性力に抗して最も下側の位置へ押し下げて停止手段により停止した載置板に記録紙を載置して給紙カセットをスライドして画像形成装置本体の内部に装填すると、その途中で給紙カセットの停止手段が装置本体に設けた停止解除手段に当たって停止手段による載置板の停止が解除される。この時、弾性力を蓄勢して元の状態に復元しようとする弾性部材が載置板を急激に上側へ回動変位させる。このため、載置板が載置されている記録紙が分離爪に衝突してその衝撃により分離爪から外れて飛び出すことがあった。
【０００７】
従って、従来画像形成装置に設ける給紙装置に対しては、載置板が弾性部材にの弾性力を受けて上側へ回動変位する時に、載置した用紙が分離爪に衝突して分離爪から外れることや載置板が分離爪に衝突することを防止することが要望されていた。
【０００８】
本発明は前記事情に基づいてなされたもので、載置板が弾性部材の弾性力を受けて上側へ回動変位する時に、載置した用紙が分離爪から外れる事態の発生および載置板が分離爪に衝突することを回避できる画像形成装置の給紙装置を提供するものである。
【０００９】
【課題を解決するための手段】
請求項１の発明の給紙装置は、画像形成装置本体に装填、引出し可能に設けられ上面部を開放するととともに用紙が積層して収容される給紙カセットと、この給紙カセットの内部に配置され一端部を支点として上下方向に回動自在に設けられ前記給紙カセットの内部に積層収容された用紙が載置される載置板と、前記給紙カセットに設けられ前記載置板に対してこれを上側に向けて回動変位させる力を加える弾性部材と、この弾性部材により上側へ回動変位された前記載置板またはこの載置板に載置された用紙を上側から受けて押える分離爪と、前記弾性部材により上側に向けて回動変位される前記給紙カセットを制動する制動手段と、給紙カセットに設けられ最も下側に回動変位した位置にある載置板と係脱可能に係合して載置板を停止させる停止手段とを具備し、
前記制動手段は、ラックと、このラックに噛合して載置板の上側および下側に向けた回動変位に連動して回転される歯車と、載置板の上側に向けた回動変位に連動して回転する歯車に対して弾性部材の力より小さい力を加える制動機構と、ラックに設けられ載置板の上側へ向けた回動変位を停止するストッパとから構成され、
前記停止手段は、載置板端部に下側に向けて切起し形成される係合片と、給紙カセットに変位自在に設けられ係合片に対して係脱自在な係止爪を有する停止レバーと、この停止レバーに対して所定方向にばね力を作用するコイルばねとから構成される。
【００１０】
この発明の構成によれば、載置板が弾性部材の弾性力を受けて上側へ回動変位する時に、制動手段が載置板の回動変位を制動して変位速度を低下させるので、載置板に載置した用紙や載置板が分離爪に衝突する衝撃を大幅に緩和して用紙が分離爪から外れることを阻止できる。
【００１１】
請求項２の発明の構成によれば、請求項１に記載の給紙装置において、前記制動手段は前記給紙カセットが前記弾性部材により上側に向けて回動変位される時にのみ前記給紙カセットの動きを制動するものであることを特徴とする。
【００１２】
この発明の構成によれば、制動手段は載置板が下側へ回動変位する時に制動をかけず、上側へ回動変位する時に制動をかけて抵抗を付与するので、操作者が載置板を押し下げて下側へ回動変位する時には制動手段による抵抗を受けず円滑に載置板を回動変位させることができる。
【００１４】
請求項３の発明は、請求項１に記載の給紙装置において、前記制動手段における前記ラックは前記載置板または前記給紙カセットに設けられ、前記歯車は前記給紙カセットまたは前記載置板に設けられていることを特徴とする。
【００１８】
【発明の実施の形態】
本発明の一実施の形態について図１ないし図４を参照して説明する。
【００１９】
この実施の形態は、ファクシミリ装置において記録紙を画像記録部に供給する給紙装置を対象にしたものである。また、この給紙装置は、給紙カセットに、載置板が最も下側の位置に回動変位した際にこれを停止する停止手段を設けたものである。
【００２０】
図１はファクシミリ装置の外観を示す斜視図、図２は給紙カセット装填部を破断して示すファクシミリ装置を示す図である。図１および図２において１はファクシミリ装置本体で、この装置本体１の上段部には送信用原稿を搬送しながら原稿に記載された情報を読取るとともに、搬送した原稿を原稿トレイ２ａに排出する原稿読取り部２が設けられ、中段部には受信した画像情報に基づいて記録紙に画像を記録するとともに、画像を記録した記録紙を記録紙トレイ３ａに排出する画像記録部（画像形成装置本体）３が設けられている。また、装置本体１の下段部にはカセット装填部４が設けられ、このカセット装填部４には給紙カセット１１が取り外し可能に装填されている。本発明が対象とする給紙装置は画像記録部２に供給する記録紙Ｐを用意するためのもので、前記の給紙カセット１１を含んで構成されている。
【００２１】
本発明が対象とする給紙装置について図３および図４も含めて参照して説明する。図３（ａ）はファクシミリ装置本体（画像形成装置本体）から取り外した状態を示す平面図、（ｂ)は図３（ａ）のＺ−Ｚ線に沿う断面図、(ｃ）は図３（ａ）のＹ−Ｙ線に沿う断面図である。図４（ａ）はファクシミリ装置本体（画像形成装置本体）に装填した状態を示す平面図、（ｂ)は図４（ａ）のＸ−Ｘ線に沿う断面図、(ｃ）は図４（ａ）のＷ−Ｗ線に沿う断面図である。
【００２２】
図中１１は給紙カセットで、これは平面形状が収容する記録紙Ｐのサイズよりやや大きい長方形をなす上面部を開放した平たい箱型をなすものである。この給紙カセット１１は、幅方向一側部がファクシミリ装置本体側に向くようにして向きを設定して、図１の矢印方向に示すようにファクシミリ装置本体１のカセット装填部４に対して押し込みスライド（Ａ方向）して装填し、引き出しスライド(Ｂ方向）して取り外すようになっている。給紙カセット１１の内部には載置板１２が配置されている。この載置板１２は記録紙サイズに応じた長方形をなすもので、後述するように記録紙繰出し方向(図２のＣ方向）下流側端部がコイルばね１３により押上げられて上流側端を支点として上下方向回動自在に設けられている。給紙カセット１１の内部には載置板１２の記録紙繰出し方向下流側端部の下側に位置して複数個の前記コイルばね１３が配設してあり、これらコイルばね１３により載置板１２の下流側端部を上側へ向けて押し上げている。ここで、載置板１２の図４に示す上昇位置はコイルばね１３の(無荷重状態の）高さに対応し、図３に示す下降位置はコイルばね１３の（各コイル部が密着した状態の）密着高さに対応する。
【００２３】
給紙カセット１１の記録紙繰出し方向下流側端部には幅方向両側壁の内面に沿って夫々分離爪１４が配置されている。すなわち、分離爪１４は載置板１２の記録紙繰出し方向下流側端部を挟んで夫々配置されている。分離爪１４は記録紙繰り出し方向に沿うとともに記録紙繰り出し方向上流側端部がピン１５により給紙カセット１１の側壁に枢着されて上下方向に沿い回動可能な腕部１４ａと、この腕部１４ａの記録紙繰り出し方向下流側端部に起立して形成された起立部１４ｂと、この起立部１４ｂの上端に形成され載置板１２の記録紙繰り出し方向上流側端部の角部を上側から対向する位置に突出する爪部１４ｃとを有している。なお、爪部１４ｃの高さは、下限位置にある載置板１２より高く、載置板１２上で爪部１４ｃまでの間隙に記録紙を載置できる。
【００２４】
載置板１２の記録紙繰り出し方向上流側端の幅方向に沿う縁部の中央部には係合片１６が下側へ向けて切起し形成されている。給紙カセット１１の記録紙繰り出し方向下流側端部における幅方向中央部には停止レバー１７が記録紙繰り出し方向に沿って配置されている。この停止レバー１７は長さ方向中央部に記録紙繰り出し方向に対して直角な方向に沿う長孔１８が形成され、この長孔１８は給紙カセット１１の底面壁に上下方向に沿って設けたピン１９が挿通されている。これにより停止レバー１７は、長孔１８に沿って記録紙繰り出し方向に対して直角な方向に沿って移動可能であるとともに、ピン１９を中心として回動変位するように支持されている。停止レバー１７の記録紙繰り出し方向上流側端部には係合爪２０が起立して形成されている。この係合爪２０は載置板幅方向に沿って形成されたもので、上面は載置板１２の係合片１６に上側から押されて停止レバー１７がＤ方向へ回動するように傾斜面として形成され、下面が係合片１６に係合するように水平面となっている。停止レバー１７の記録紙繰り出し方向下流側端部は動作部１７ａとして給紙カセット１１に形成した孔１１ａを介して外側へ突出している。給紙カセット１１には停止レバー１７に対してＥ方向にばね力を作用するコイルばね２１が設けてあり、このコイルばね２１は無負荷状態で停止レバー１７を係合爪２０が係合片１６に係合する位置に変位させるようになっている。そして、停止レバー１７の係合爪２０が係合片１６に係合した時の載置板１２の回動高さ位置は前述した下降位置である。これら係合片１６、停止レバー１７およびコイルばね２１によって停止手段２２を構成している。
【００２５】
また、給紙カセット１１および載置板１２の記録紙繰り出し方向下流側端部における幅方向一側部には制動手段３１が設けてある。この制動手段３１は載置板１２の記録紙繰り出し方向下流側端の縁部には上下方向に沿いラック３２が一体に形成されて設けられている。給紙カセット１１にはラック３２と噛合する平歯車からなる歯車３３と、この歯車３３と一体的に連結された制動機構３４と、歯車３３と制動機構３４を回転自在に支持する軸受３５とを有している。この制動機構３４は例えば一方向クラッチが用いられ、この一方向クラッチは図示しないがクラッチ体とンねじりコイルばねとを組合せたもので、両者の組合せにより載置板１２が上側へ回動するように歯車３３が回転する時に歯車３３に対してその回転を制動するように抵抗（制動力）を付与するもので、載置板１２が下側へ回動するように歯車３３が回転する時には歯車３３に対してその回転を制動するように抵抗（制動力）を付与しない。なお、制動機構３４が歯車３３に対して作用する抵抗の大きさは、コイルばね１３が載置板１２に対して押し上げるために加えるばね力より小さいものである。なお、制動機構３４は載置板１２が下側へ回動変位する時に制動をかけず、上側へ回動変位する時に制動をかけて抵抗を付与するので、操作者が載置板を押し下げて下側へ回動変位する時には制動手段による抵抗を受けず円滑に載置板を回動変位させることができる。
【００２６】
ラック３２は載置板１２の上下方向回動と一体に上下方向へ移動し、歯車３３は軸３５とともにラック３２の上下移動に伴って回転する。ラック３２の下端には載置板１２の上昇位置で確実に停止させるために、ラック３２の上昇を停止させるストッパ３８が形成してある。載置板１２が下降位置へ回動した状態で、ラック３２が給紙カセット１１の底面壁に衝突しないように底面壁にラック３２を逃がす孔１１ｂを形成する。
【００２７】
なお、４３は給紙カセットにおいて載置板１２の両側に設けた載置する記録紙Ｐのサイズを規制する案内部材である。
【００２８】
さらに、図４(ａ)に示すようにファクシミリ装置本体１におけるカセット装填部４には、給紙カセット１１をスライドさせながら 所定の装填位置まで押し入れる途中で、載置板１２を下降位置に停止させる位置にある停止レバー１７を解除位置へ動作させる解除部材４１が設けてある。なお、図２に示すようにカセット装填部４には、装填した給紙カセット１１の上側に位置して給紙カセット１１から記録紙Ｐを繰り出すためのピックアップローラ４２が設けてある。
【００２９】
このように構成した給紙装置の動作について説明する。
装置本体１のカセット装填部４に装填した給紙カセット１１を取出す場合には、給紙カセット１１を図１および図４に示すように記録紙繰り出し方向に対して交叉するＢ方向にスライドさせながら引き出す。給紙カセット１１を装置本体１１のカセット装填部４から取り外した状態について説明する。載置板１２はコイルばね１３により押し上げられて上昇位置にある。ラック３２は載置板１２とともに上昇して給紙カセット１１の底面壁より上側へ位置する。この状態で使用者は手で載置板１２をコイルばね１３のばね力に抗して押し下げると、載置板１２は記録紙繰り出し方向上流側端を支点として下側へ向けて回動する。載置板１２の回動に伴い係合片１６が下降して停止レバー１７の係合爪２０の傾斜した上面に接触し、下降とともに停止レバー１７をコイルばね２１のばね力に抗して記録紙繰り出し方向に対して直交するＤ方向へ回動させ、載置板１２が下降位置まで回動すると係合片１６が係合爪２０の上面から外れる。同時にコイルばね２１が停止レバー１７をＥ方向に移動させて、係合爪２０の下面が係合片１６に係合する。これにより図３に示すように載置板１２は下降位置に停止される。また、分離爪１４は自重により多少下降する。下降した分離爪１４の爪部ｃと載置板１２との間には記録紙を積層するための間隙が形成される。そして、載置板１２の上面に記録紙Ｐを積層して載置する。この場合、積層載置した記録紙Ｐの最上層と分離爪１４の爪部１４ｃとの間に隙間を残す。これはピックアップローラが記録紙に接触してこれを繰り出す際に、円滑に最上層の記録紙を円滑に繰り出すことを可能にするためである。
【００３０】
この過程における制動手段３１の動作について述べる。ラック３２は、載置板１２が上昇位置にある時には給紙カセット１１の底面壁の上側に位置し、載置板１２が上昇位置から下降位置に回動変位すると下降して給紙カセット１１の底面部の孔１１ｂに逃げる。ラック３２の下降移動に伴い歯車３３も回転する。制動機構３４は載置板１２が下側へ回動する時には歯車３３に対しては制動をかけないために操作者は載置板１２を軽快且つ円滑に下側へ回動させることができる。
【００３１】
この状態で給紙カセット１１をファクシミリ装置本体１のカセット装填部４の内部に外部からスライドさせながらＡ方向へ押し込む。給紙カセット１１がスライドしてカセット装填部４内部の所定の装填位置へ達する途中で、給紙カセット１１の外側へ突出している停止レバー１７の動作部１７ａが、カセット装填部４に設けた解除部材４１に衝突し、給紙カセット１１の移動とともに停止レバー１７がコイルばね２１のばね力に抗してＤ方向へ移動される。これにより停止レバー１７の係合爪２０が載置板１２の係合片１６から外れて、下降位置にある載置板１２の停止を解除する。そうすると、圧縮されて弾性力を蓄勢していたコイルばね１３は載置板１２を押し上げる。なお、停止レバー１７は給紙カセット１１の移動に伴い停止解部材４１に押されてピンｈ１９を支点としてコイルばね２１のばね力に抗して回動して停止解部材４１から外れ、その後コイルばね２１に押されて再びＥ方向へ押される。
【００３２】
図４に示すように載置板１２は上側へ向けて回動変位して、載置板１２に載置してある記録紙Ｐの最上層が給紙カセット１１に設けた分離爪１４の爪部１４ｃに当接する。分離爪１４は載置板１２の回動とともに記録紙Ｐに押されてピン１５を中心として上向きに回動し、所定角度上向きに回動して給紙カセット１１に設けた図示しないストッパにより停止する。
【００３３】
この過程における制動手段３１の動作について説明する。停止レバー１７により停止を解除された載置板１２がコイルばね１３により上側へ回動すると、ラック３２も上側へ移動し、ラック３２の上側移動に伴い歯車３３が回転する。この場合、制動機構３４は載置板１２が上側へ向けて回動変位するのに伴い回転すると一方向クラッチからなる制動機構３４が動作して歯車３３に対して、その回転を制動する抵抗を加える。ここで、歯車３３は制動機構３４の抵抗を受けながら回転する。すなわち、歯車３３はコイルばね３７のばね力に応じた摩擦抵抗を受けながら回転することになる。そして、この歯車３３の抵抗はラック３２を介して上側へ回動変位する載置板１２に対してその上側への変位を制動する抵抗として作用する。これにより載置板１２は前記制動機構３４による抵抗が作用せずにコイルばね１３のばね力によって上側へ変位する場合に比較して、前記制動機構３４による抵抗が作用した分だけ減速して上側へ変位する。
【００３４】
このため、載置板１２が上側へ変位して記録紙Ｐが、分離爪１４の爪部１４ｃに当接する時の衝撃が緩和され、載置板１２に載置た記録紙Ｐが分離爪１４の爪部１４ｃから外れるという事態の発生を抑制できる。この現象は載置板１２に積層載置する記録紙の量が少ないほど発生しやすいが、本発明の給紙装置では前記構成にすることにより記録紙Ｐが分離爪１４から外れる現象を防止することができる。
【００３５】
また、制動手段３１はラック３２に組合わせて歯車３３を用いているので、簡素な構成で載置板１２に対する制動を確実に行なうことができ、特にコイルばね３７を用いた簡素な構成で小型な制動機構３４を狭いスペースで組み合せることができる。
【００３６】
なお、ラック３２が上昇して形にその下端部に形成したストッパ３８が歯車３３に達すると、ラック３２の上昇が停止して載置板１２も停止する。この停止位置は載置板１２の上昇位置である。これによりラック３２と歯車３３で載置板の上昇位置を設定することができる。
【００３７】
なお、前述した実施の形態の制動手段３１は、ラック３２を載置板１２に設け、歯車３３を給紙カセット１１に設けているが、これに限定されずラック３２を給紙カセット１１に設け、歯車３３を載置板１２に設ける構成とすることも可能である。
【００３８】
前述した実施の形態では、給紙カセット１１に、最も下側に回動変位した位置にある載置板１２と係脱可能に係合して載置板１２をその位置に停止させる停止手段２２を設けているが、この停止手段２２を設けない構成にも適用できる。すなわち、給紙カセット１１をファクシミリ装置本体１から取り出して記録紙Ｐをセットする際に、使用者が手で載置板１２をコイルばね１３のばね力に抗して押し下げた時に誤って手が滑って載置板１２から外れると、ばね力を蓄勢したコイルばね１３が元の状態に復元しようとする。しかし、前述した制動手段３１の動作によりコイルばね１３のばね力に抗して載置板１２が上側への回動変位を制動してその速度を抑制する。このため、制動板１して急激に上側へ回動変位することがなく、載置板１２に載置した記録紙Ｐの分離爪１４への衝突が抑えられるので記録紙Ｐが分離爪１２から外れることを抑制できる。また、載置板１２に記録紙Ｐを載置していない場合に、載置板１２が分離爪１４に衝突して両者が損傷するいう事態の発生を抑制することができる。
【００３９】
なお、本発明は前記実施の形態に限定されず、種々変形して実施することができる。前記実施の形態では、制動機構は、載置板が下側へ回動変位する時に制動をかけず、上側へ回動変位する時に制動をかけて抵抗を付与するので、操作者が載置板を押し下げて下側へ回動変位する時には制動手段による抵抗を受けず円滑に載置板を回動変位させることができるが、これに限定されず、制動機構を例えば歯車とトラックとの組合せのみ、あるいはこれに圧縮コイルばねを組合せて載置板が上向きに回動変位する時だけでなく、下向きに回動変位する時にも制動力を作用するものも対象にできる。前記実施の形態では記録紙を画像形成装置の画像記録部に供給するものについて説明したが、これに限定されることなく例えば原稿を積層して画像形成装置の原稿読取り部へ供給する装置などにも適用することができる。
【００４０】
【発明の効果】
以上説明したように本発明の給紙装置によれば、載置板が弾性部材の弾性力を受けて上側へ回動変位する時に、制動手段が載置板の回動変位を制動して変位速度を低下させて載置板に載置した用紙が分離爪に衝突する衝撃を大幅に緩和できる。従って、給紙カセットに用紙をセットして載置板が弾性部材の弾性力を受けて上側へ回動変位する時に、載置した用紙が分離爪から外れる事態の発生および載置板が分離爪から外れる事態の発生を防止できる。
【００４１】
さらに、制動手段は載置板が下側へ回動変位する時に制動をかけず、上側へ回動変位する時に制動をかけて抵抗を付与するので、操作者が載置板を押し下げて下側へ回動変位する時には制動手段による抵抗を受けず円滑に載置板を回動変位させることができる。
【００４２】
さらに、制動手段を歯車を用いた構成にすることにより、簡素な構成で載置板に対する制動を確実に行なうことができ、特に制動機構を歯車と組み合せて狭いスペースで設けることができる。
【００４３】
さらに、制動手段を具体的な形態で提供できる。
【００４４】
さらに、制動手段を利用して載置板の上側への回動位置を設定することができる。
【００４５】
さらに、停止手段を用いて載置板を下降位置に停止させることができる。
【図面の簡単な説明】
【図１】本発明の一実施の形態における給紙装置を設けるファクシミリ装置を示す斜視図。
【図２】同実施の形態におけるファクシミリ装置を示す一部切欠正面図。
【図３】同実施の形態における給紙装置に設ける給紙カセットを示す図。
【図４】同実施の形態における給紙装置に設ける給紙カセットを示す図。
【符号の説明】
１…ファクシミリ装置本体(画像形成装置本体）、
４…カセット装填部、
１１…給紙カセット、
１２…載置板、
１３…コイルばね、
１４…分離爪、
１６…係合片、
１７…停止レバー、
２２…停止手段、
３１…制動手段、
３２…ラック、
３３…歯車、
３４…制動機構。
【図１】
0004119562.tif 000002
【図２】
0004119562.tif 000003
【図３】
0004119562.tif 000004
【図４】
0004119562.tif 000005